(57)【要約】【課題】輝度の低下防止と高精細化を実現できるプラズマディスプレイパネルを提供する。【解決手段】プラズマディスプレイパネルは、前面基板の背面側に設けられ各々が行方向に延びかつ列方向に並設された複数の行電極と、行電極を被覆する誘電体層と、背面基板の前面側に設けられ各々が列方向に延びかつ行方向に並設された複数の列電極と、を含み、行電極の対毎に一斉更新を行う線順次面発光方式のプラズマディスプレイパネルであって、行方向に延びる複数の行放電空間を形成する複数の横隔壁と、行放電空間毎の行電極の対にサスティンパルスを印加して放電を線順次走査にて生じせしめる行電極駆動回路と、放電を抑制する放電抑制電位を列電極に選択的に印加する列電極駆動回路と、を含み、誘電体層は、特定範囲の膜厚及び比誘電率を有する。【選択図】図２
2007287548.tif 000002
【特許請求の範囲】
【請求項１】
放電空間を介して互いに対向する前面基板及び背面基板と、前記前面基板の背面側に設けられ各々が行方向に延びかつ列方向に並設された複数の行電極と、前記行電極を被覆する誘電体層と、前記背面基板の前面側に設けられ各々が列方向に延びかつ行方向に並設された複数の列電極と、を含み、
前記列電極及び前記行電極を駆動してその前記列電極及び隣接する前記行電極の対の交差位置に単位発光領域を形成し、前記行電極の対毎に一斉更新を行う線順次面発光方式のプラズマディスプレイパネルであって、
前記行電極上で前記放電空間を仕切りかつ各々が行方向に延びる複数の行放電空間を形成する複数の横隔壁と、
前記行放電空間毎の前記行電極の対にサスティンパルスを印加して放電を線順次走査にて生じせしめる行電極駆動回路と、
放電を抑制する放電抑制電位を前記列電極に選択的に印加する列電極駆動回路と、を含み、
前記誘電体層は、下記式
【数１】
2007287548.tif 000015
（上記式中、ｄ’は前記誘電体層の膜厚を、εr’は前記誘電体層の比誘電率を、Ｎは前記行電極の一行ごとに印加される前記サスティンパルスのパルス数を示す）を満たす膜厚及び比誘電率を有することを特徴とするプラズマディスプレイパネル。
【請求項２】
前記サスティンパルスのパルス数Ｎは１００以下であることを特徴とする請求項１記載のプラズマディスプレイパネル。
【請求項３】
前記誘電体層の膜厚ｄ’は、下記式
【数２】
2007287548.tif 000016
を満たすことを特徴とする請求項１又は２記載のプラズマディスプレイパネル。
【請求項４】
前記誘電体層は、ＭｇＯを含む最表面層を含むことを特徴とする請求項１〜３のいずれかに記載のプラズマディスプレイパネル。
【請求項５】
前記誘電体層は２層以上の積層体であることを特徴とする請求項１〜４のいずれかに記載のプラズマディスプレイパネル。
【請求項６】
前記行電極の各々は、行方向に伸長するバス電極部と前記単位発光領域毎に放電ギャップを介して互いに対向するように前記バス電極部から列方向に突出する突出部とで形成され、前記誘電体層は少なくとも前記放電ギャップ及び前記突出部に設けられていることを特徴とする請求項１〜５のいずれかに記載のプラズマディスプレイパネル。
【発明の詳細な説明】
【技術分野】
【０００１】
本発明は、面放電方式交流型プラズマディスプレイ装置のパネル構造に関する。
【背景技術】
【０００２】
図１は従来のプラズマディスプレイ装置のパネル構造を表わしている（特許文献１参照）。図１はパネルの構成を説明するために前面基板と背面基板に分解した分解斜視図である。
【０００３】
図１のプラズマディスプレイパネルは、背面基板４とこれに放電空間を介して互いに対向する前面基板とが平行に貼り合わされて、形成される。背面基板４の前面側には、各々が列方向に延びかつ行方向に並設された複数の列電極Ｄが設けられ、その上に列電極保護層５が形成される。そして、前面基板の背面側には、各々が行方向に延びかつ列方向に並設された複数の行電極対が設けられる。
【０００４】
図１に示すように、背面基板４の列電極保護層５上には、行方向に並設された各列電極Ｄの間の位置において列方向に延びる縦隔壁と行方向に延びる横隔壁との結合によって略格子状（井形）に成形された隔壁６（いわゆるワッフル構造）が形成されている。
【０００５】
そして、この略格子形状の隔壁６によって、列電極及び行電極対の交差位置に単位発光領域を構成するように、方形室として放電セルＣが区画されている。
【特許文献１】特開２００２−１９７９８１
【発明の開示】
【発明が解決しようとする課題】
【０００６】
プラズマディスプレイパネルは大型の薄型ディスプレイとして、優れた性能を有していて、現在市場では３０インチ以上の大型のパネルが製造されている。
【０００７】
近年、プラズマディスプレイパネルを従来のような大型のパネルだけではなく、２６インチ位の中型でフルＨＤクラスの高精細のディスプレイにも用いることが検討されている。
【０００８】
しかしながら、放電セルサイズを微細化すると、例えばセルサイズが１００μｍ以下となった場合には、放電セルＣが狭くなりすぎ、放電空間が縮小し、発光効率が著しく低下してしまうといった問題があった。これは単位放電セルのサイズが小さくなると、プラズマの陽光柱（陰極と陽極との間の空間のプラズマ）が充分に大きくとれなくなり、その結果、輝度の低下や発光効率の低下を招くからである。
【０００９】
現在主流のプラズマディスプレイの面発光方式、例えば、アドレス表示分離（ＡＤＳ）サブフレーム法では、スキャン動作（アドレス期間）の後にサスティン動作（表示期間）を行い全てのセルを同時に発光させるので、６０フレーム／ｓにおける１フレームの表示に割り当てられる発光時間は１６ｍｓであるが、小型の高精細のディスプレイでは放電セルＣ、放電空間が縮小されるので、発光量が著しく低下してしまうといった問題があった。
【００１０】
本発明の解決しようとする課題には、輝度の低下防止と画面の高精細化を実現することができるプラズマディスプレイパネル構造を提供することが一例として挙げられる。
【課題を解決するための手段】
【００１１】
請求項１記載のプラズマディスプレイパネルは、放電空間を介して互いに対向する前面基板及び背面基板と、前記前面基板の背面側に設けられ各々が行方向に延びかつ列方向に並設された複数の行電極と、前記行電極を被覆する誘電体層と、前記背面基板の前面側に設けられ各々が列方向に延びかつ行方向に並設された複数の列電極と、を含み、
前記列電極及び前記行電極を駆動してその前記列電極及び隣接する前記行電極の対の交差位置に単位発光領域を形成し、前記行電極の対毎に一斉更新を行う線順次面発光方式のプラズマディスプレイパネルであって、
前記行電極上で前記放電空間を仕切りかつ各々が行方向に延びる複数の行放電空間を形成する複数の横隔壁と、
前記行放電空間毎の前記行電極の対にサスティンパルスを印加して放電を線順次走査にて生じせしめる行電極駆動回路と、
放電を抑制する放電抑制電位を前記列電極に選択的に印加する列電極駆動回路と、を含み、
前記誘電体層は、下記式
【００１２】
【数１】
2007287548.tif 000003
【００１３】
（上記式中、ｄ’は前記誘電体層の膜厚を、εr’は前記誘電体層の比誘電率を、Ｎは前記行電極の一行ごとに印加される前記サスティンパルスのパルス数を示す）を満たす膜厚及び比誘電率を有することを特徴とする。
【００１４】
本発明によれば、列方向に延びる放電セル間の縦壁を取り除くことで行方向に延びる放電空間を確保し、放電を安定にするため非選択セルに放電抑制電位を印加することで、輝度の低下を防止して、画面の高精細化を達成できる。
【発明を実施するための形態】
【００１５】
以下に本発明の実施形態を図面を参照しつつ説明する。
【００１６】
図２はプラズマディスプレイ装置のパネル構造を模式的に表す斜視図である。
【００１７】
図２に示すように、表示面であるガラスからなる前面基板１の背面に、複数の行電極対Ｘ、Ｙが、ガラスからなる前面基板１の行方向（図２の左右方向）に延びるように平行に配列されている。
【００１８】
行電極Ｘは、前面基板１の行方向に延びる金属膜からなる帯状の共通バス電極部Ｋｂと、この共通バス電極部Ｋｂに沿って等間隔に並設されてその幅狭の基端部が共通バス電極部Ｋｂに接続されたＩＴＯなどの透明導電膜からなるＴ字形状の透明電極部Ｋａとによって構成されている。
【００１９】
行電極Ｙも同様に、前面基板１の行方向に延びる金属膜からなる帯状の共通バス電極部Ｋｂと、この共通バス電極部Ｋｂに沿って等間隔に並設されてその幅狭の基端部が共通バス電極部Ｋｂに接続されたＩＴＯなどの透明導電膜からなるＴ字形状の透明電極部Ｋａ（バス電極部から列方向に突出する突出部）とによって構成されている。
【００２０】
この行電極ＸとＹは、前面基板１の列方向（図２の上下方向）に交互に配列されて、２本の共通バス電極部Ｋｂに沿って並設された透明電極部Ｋａが、互いに対となる相手の行電極側に延びて、互いの透明電極部Ｋａのそれぞれの幅広の頂辺が、それぞれ所要の幅の放電ギャップを介して互いに対向されている。行電極Ｙにおいて行電極Ｘの反対側に隣接する行電極にも行電極対を構成するように、透明電極部Ｋａが高密度で並列されている。すなわち、行電極の列方向両側に透明電極部Ｋａが設けられている。
【００２１】
図２に示すように、前面基板１の背面側の行電極対Ｘ、Ｙの上には、これらを被覆する誘電体層２が形成されている。
【００２２】
誘電体層２の背面側には、誘電体層２から背面側に放電空間へ突出する帯状の嵩上げ誘電体層２Ａが、バス電極部Ｋｂ上に平行に形成されている。そして、この誘電体層２と嵩上げ誘電体層２Ａの背面側には、ＭｇＯからなる保護層３が形成されている。
【００２３】
一方、前面基板１と放電空間を介して平行に配置される背面基板４の前面基板１と対向する面（表示側の面）の下側には、列電極Ｄ（アドレス電極）が、それぞれ各行電極対Ｘ、Ｙの互いに対になっている透明電極部Ｋａに対向する位置において列方向に延びるように、等間隔に並設されている。
【００２４】
背面基板４の表示側の面上には、さらに、列電極保護層５（誘電体層）が形成されて、列電極Ｄを被覆している。
【００２５】
図２に示した構造において、前面基板１上の嵩上げ誘電体層２Ａには行方向にだけ横隔壁１６が形成されていて、列方向には隔壁は形成されていない。これにより行電極対Ｘ、Ｙの電極間放電時のプラズマの行方向の断面積を広くとることができる。すなわち、横隔壁１６により放電空間から仕切られ各々が行方向に延びる複数の行放電空間（行セル）が得られる。前面基板１のバス電極部Ｋｂ上に横隔壁１６が形成されることにより、製造中の前面基板及び背面基板の貼り合わせ工程において位置ずれ精度が向上する。背面基板側に横隔壁を設けた場合、横隔壁とバス電極部と位置合わせが必要である。
【００２６】
また、背面基板上にはＲＧＢ各色ごとの放電セルの放電領域を区分するための縦壁１５Ａが列方向に形成されている。縦壁１５Ａの高さは蛍光体を塗り分けるのに必要な高さで放電領域の区分に必要な最低限の高さで約２０μｍ位である。このように、縦壁１５Ａは、単位発光領域に区分しかつ列方向に延び前面基板（保護層３）に達しない高さを有する。
【００２７】
そして、２つの横隔壁１６により挟まれた行放電空間内の放電セルの各々の選択は、図２に示される列電極Ｄに印加されるアドレス電圧及び放電抑制電圧（後述する）によって制御される。
【００２８】
各放電セルＣに面する縦壁１５Ａの各側面と列電極保護層５の表面には、これらの三つの面を覆うように、各放電セルＣ毎に赤（Ｒ）、緑（Ｇ）、青（Ｂ）の三原色に色分けされた蛍光体層７が形成されて、この三原色が行方向に順に並ぶように配列されている。
【００２９】
そして、放電空間内には、キセノンガスＸｅを含む放電ガスが封入されている。
【００３０】
次に、本実施形態のパネル構造において、どのようにして選択的に放電発光が行われるかその様子を図３に基づいて説明する。図３は図２の断面図であり、ここでは図２における直線Ａ１−Ａ１と直線Ｂ１−Ｂ１が交わっている位置にある放電セルを選択して発光させている。
【００３１】
図３に示すように、背面基板４の選択した放電セルの列電極Ｄには０Ｖのアドレス電圧Ｖａｄｒが印加され、選択されない放電セルの列電極には−１００Ｖの放電抑制電圧Ｖｒｅｓが印加される。この選択した放電セル以外のセルでは放電空間に拡がろうとすると電子が列電極側からの反発力で押し戻され、グロー放電が抑制されている。
【００３２】
そのため、放電空間内ではグロー放電が発生できないか、グロー放電が発生しても、その発光強度はきわめて弱いものとなる。
【００３３】
一方、選択した放電セル内では、このような反発力はなく、選択セルから、隣の非選択セルに広がろうとする電子に対して、電界により電子を収束させるいわゆる電子レンズ効果による押し戻し作用が働いている。
【００３４】
さらに、隣り合う２つの放電セルが同時に選択された場合には、放電セル間の縦隔壁がないので、２つの放電セルの放電プラズマが結合して放電空間の断面積が約２倍となり、発光効率が改善される。
【００３５】
図４は実施形態の面放電交流型プラズマディスプレイパネルの表示装置の構成を示す模式図である。
【００３６】
プラズマディスプレイパネル１２０、列電極駆動回路２１２、行電極駆動回路２１０を備えている。パネル本体１２０は行電極対Ｘ、Ｙを有し、逐次放電して放電セルを線表示で走査する。各行電極対は一対の放電電極の複数を備えており、行電極駆動回路２１０によって駆動される。行電極駆動回路２１０は各行電極対の放電電極に駆動パルスを印加して放電セルの線順次走査を行う。列電極駆動回路２１２は前述した行電極対Ｘ、Ｙの線表示走査に同期して画像信号を各列電極に印加し、列電極Ｄ１〜Ｄｍの１つと行電極対の１つとの交差部に放電セルＣｉｊを形成する。
【００３７】
列電極駆動回路２１２は、供給される各画素データに応じた画素データパルス（アドレス電圧及び放電抑制電圧）を発生しての列電極Ｄ１〜Ｄｍに印加する。
【００３８】
行電極駆動回路２１０は、供給される各種のタイミング信号に応じたタイミングにてパネル本体１２０の行電極対Ｘ１、Ｙ１、Ｘ２、Ｙ２、〜Ｘｎ、Ｙｎにサスティンパルスを印加する。
【００３９】
ここで注意すべきは、行電極駆動回路２１０は行放電空間毎の行電極にサスティンパルスを印加して放電を線順次走査にて生じせしめる機能を有することと、列電極駆動回路２１２が放電を抑制する放電抑制電位を列電極に選択的に印加する機能を有することである。
【００４０】
行電極駆動回路２１０は、行電極Ｘ１〜Ｘｎへの第１サスティンパルスを生成するＸドライバを、行電極Ｙ１〜Ｙｎへの第１サスティンパルスとは逆位相の第２サスティンパルスを生成するＹドライバを含んでいる。
【００４１】
次に本実施形態のプラズマディスプレイパネルの線順次面発光駆動方法について説明する。
【００４２】
図５に本実施形態の面放電交流型プラズマディスプレイパネル表示装置のタイミングチャートを示す。行電極は上から順にＸ１、Ｙ１、Ｘ２、Ｙ２・・・Ｘｎ、Ｙｎと符号が付けてある。図５にこれらの電極に印加する駆動波形は、対応する電極の右側に示されている。ここで、図は行電極のすべての対ごとにパルスを印加した場合の駆動波形を示している。すべての行電極対に印加されるパルス駆動波形は、互いに位相が１８０度ずれている。
【００４３】
一組の行電極対において、どちらか一方のみが印加された場合には放電は発生しない。両者が同時に印加されるとその期間だけ放電が発生する。例えば、行電極対Ｘ１、Ｙ１すなわち第１及び２行電極に着目すると、行電極Ｘ１に正負極性パルスが印加される際に、ほぼ同時に行電極Ｙ１に負正極性パルスが印加される。これにより、行電極Ｙの負極性パルスが所定値に立ち下がるタイミングで１番目の放電が発生する。これに合わせて、列電極Ｄ１〜Ｄｍのそれぞれに所定の画像信号を印加することで、所定輝度分布で第１行セルの行が発光する。
【００４４】
次に、行電極Ｘ１は接地電位（０Ｖ）になるので、第１行セルでは消光するが、正負極性パルスが印加されている行電極Ｙ１と次の行電極Ｘ２の行電極対において２番目の放電電位が生成され、これに合わせて、列電極Ｄ１〜Ｄｍのそれぞれに所定の画像信号を印加することで、所定輝度分布で第２行セルの行が発光する。次に、同様に行電極対Ｘ２、Ｙ２の第３行セルが発光する。なお、行電極Ｘ及び行電極Ｙ共に隣接する行電極対間にまたがって（共用して）いるが、本駆動により実際に放電するのは行電極の片側のみであり、順次走査することが可能となる。
【００４５】
換言すると、各行のサスティン放電は行電極の対毎に一斉に順次に行われ、表示は線順次にされる。従来のプラズマディスプレイパネルのＡＤＳ駆動法におけるスキャン動作に相当するところが、サスティン動作に置き換わっている。従来のプラズマディスプレイパネルの駆動法においてスキャンパルスは一回であるが、本実施形態のサスティンパルスの数は１ないし１００回程度であり、１行の表示期間だけ継続する。
【００４６】
さらに詳述すると、図５に示したサスティンパルスは電圧値が＋Ｖと−Ｖが交互に繰り返す交流波形となっていて、選択した放電セルの上側の行電極（第１行電極）と選択した放電セルの下側の行電極（第２行電極）とでは互いに逆位相の波形になっている。
【００４７】
このときサスティンパルスの電圧値｜＋Ｖ｜＋｜−Ｖ｜が放電開始電圧Ｖｆより高くなるように設定され、電圧値｜＋Ｖ｜、｜−Ｖ｜単独では放電開始電圧Ｖｆよりも低くなるように設定される。これにより、選択した放電セル間にだけ放電電圧Ｖｆ＝｜＋Ｖ｜＋｜−Ｖ｜が印加され、隣接した非選択放電セルには電圧値｜＋Ｖ｜または｜−Ｖ｜の電圧しか、印加されないので、上下隣接セルが非選択のときは、放電が起こらないように制御できる。よって、図５に示した駆動法では、選択行の上部又は下部に隣接するセルが、非選択の場合には放電開始電圧に達しないため、上下セルを区別して選択することが可能である。
【００４８】
さらに、輝度の調節は上記サスティン放電期間中の列電極電位（アドレス電位）の大小で制御される。列電極電位が負の方向に大きいと、同じサスティン電圧でも、電子の進入領域が抑制され、放電電流や発光効率が低くなり、列電極電位がプラスの方向に大きくても、今度はイオンの進入領域が抑制され、放電電流や、発光効率が小さくなる。かかる輝度調節を各ＲＧＢについて行うことで色合いの調節を行うことができる。
【００４９】
線順次方式では、１行分（１対の行電極）の全てのセルを同時に発光させるので、１行の表示に割り当てられる発光時間は、フルＨＤパネル（１９２０×１０８０）の場合には１６μｓ必要であり、また、１つの放電セルに割り当てられる発光時間も同様に１６μｓとなる。
【００５０】
これは、１フレームの画面を表示するのに１つの発光セルが僅か１６μｓしか使えないことを意味する。
【００５１】
標準構造のプラズマディスプレイパネル例えばＡＤＳ方式では、これが１６ｍｓであることから、これと比べて線順次方式の発光時間は１０００分の１ときわめて短くなっている。
【００５２】
標準のプラズマディスプレイパネルでは１フレームに１０００パルス程度の発光放電を行うことで必要な輝度を得ていた。しかしながら線順次方式では発光に使える時間が短いため、多くても１００パルス程度が限度となり、そのままの構造では必要な輝度を確保できないことになる。
【００５３】
そこで、発明者は、上記したような行電極の対毎に一斉更新を行う線順次面発光方式のプラズマディスプレイパネルを提案する。シミュレーションの結果、線順次面発光方式において、標準方式と同等の輝度を得るための誘電体層の比誘電率と膜厚の最適化が可能となり、１行あたりのサスティンパルス数Ｎを調整することでこの最適条件の範囲が拡大されることを見出し、さらに、耐圧から要求される誘電体の膜厚の範囲を見出した。
【００５４】
かかる線順次面発光方式プラズマディスプレイパネルを説明するために、図６に標準構造のプラズマディスプレイパネル（ａ）と、提案する線順次面発光方式のプラズマディスプレイパネル（ｂ）と放電セルの断面構造を示す。なお、注目している膜厚、比誘電率を有する誘電体層は、単位発光領域毎に放電ギャップを介して互いに対向するようにバス電極部から列方向に突出する透明電極部Ｋａ（突出部）とそれら間の放電ギャップ上に少なくとも設けられていればよい。
【００５５】
一般に、プラズマディスプレイパネルの放電セルの発光強度はＸＹ電極間を移動する電荷量に比例する。静電容量は単位電圧あたりの蓄えられた電荷として与えられるので、ＸＹ電極間放電１回でＸＹ電極間を移動する電荷量をＳとすると、電荷量Ｓは誘電体層の比誘電率εrに比例し、誘電体層の厚さｄ（単位はμｍで表わす）に反比例する。すなわち電荷量Ｓは（εr／ｄ）に比例する。
【００５６】
少ないサスティンパルスの回数で必要な輝度を確保するためには、１回の放電で移動する電荷量Ｓを多くすればよい。
【００５７】
図６（ｂ）に示す本実施形態による発光セルの構造は、図６（ａ）に示す標準構造の発光セルに比べて、誘電体層の厚さｄ’（＜ｄ）が薄く形成され、かつ誘電体層が高誘電率（εr’＞εr）の材料で構成されている。
【００５８】
これにより、図６（ｂ）に示す本実施形態による発光セルにおいて、一回当たりの放電パルスによるＸＹ間を移動する電荷量Ｓ’は、下記式で表すことができる。
【００５９】
【数２】
2007287548.tif 000004
【００６０】
図６（ａ）の標準型のプラズマディスプレイパネルのセルにおいて、最高輝度を得るために必要なサスティンパルス数は、１フレーム当たり、１０００パルス程度である。よって、供給される電荷量Ｓは１０００Ｓである。図６（ｂ）の線順次面発光方式のプラズマディスプレイパネル構造において、図６（ａ）の標準のものと同等の輝度を得るには、下記式を満たす電荷Ｓ’の移動を、１フレーム当たりに許容された時間（１６μｓ）内で、各セルごとパルス数Ｎ供給する必要がある。すなわち、Ｎ×Ｓ’＝１０００×Ｓを満たせばよい。したがって、かかる式に（２）式を代入すれば下記式が導かれる。
【００６１】
【数３】
2007287548.tif 000005
【００６２】
ここでＮは図６（ｂ）に示した誘電体構造における放電パルスの回数である。この関係式を満たせば、図６（ｂ）の線順次面発光方式のプラズマディスプレイパネル構造において、標準型のプラズマディスプレイパネルのセルと同等の最高輝度を得ることができる。
【００６３】
図６（ａ）の標準型のプラズマディスプレイパネルの放電セルにおいては、通常εr＝１０、ｄ＝２０（単位はμｍ）程度なので、これらを（３）式を代入すれば下記式が導かれる。
【００６４】
【数４】
2007287548.tif 000006
【００６５】
ここで、パルスの回数が１回の場合には、Ｎ＝１となり、下記式が導かれる。
【００６６】
【数５】
2007287548.tif 000007
【００６７】
これら式を満たせば、通常のセル構造で通常の駆動法で得られるものと同等の最高輝度を図６（ｂ）の線順次面発光方式のプラズマディスプレイパネル構造において、一回のサスティンパルスで得ることができる。
【００６８】
式（５）を満たす設計例（パルスの回数が１回の場合）として、例えば、膜厚ｄ’＝０．１μｍ、比誘電率εr’＝５０とすれば上記の条件を満たすことができる。比誘電率εr’＝５０を満足する誘電体材料としては、ＳｒＴｉＯ3、（Ｂａ、Ｓｒ）ＴｉＯ3などの強誘電体がある。以上のように誘電体に高い比誘電率の材料を用いて、膜厚を薄く形成することにより条件は満足できる。
【００６９】
一方、式  （４）を満たす設計例として、サスティンパルス数Ｎを増加することにより、誘電体の比誘電率をそれほど大きくしなくてもよくなる。膜厚ｄ’＝０．１μｍでパルス数をＮ＝１０とすれば、εr＝５程度の材料（Ｔａ2Ｏ3、ＨｆＯ2など）を使用できる。さらに、パルスの発光数Ｎを増加した場合には、誘電体の厚みを厚くして、誘電体の耐圧を増加することができる。たとえば、Ｎ＝１０の場合εr’＝５０、ｄ’＝１μｍであれば（０）式の条件を満たす。
【００７０】
図６（ｂ）の線順次面発光方式のプラズマディスプレイパネル構造において、このようにパルス数Ｎの値を変えることによって、最適条件を選ぶことができるが、実際は放電遅れの現象があり、パルス数Ｎを無限に増加させることはできない。この放電遅れ時間例えば０．１μｓ以上を考慮したときに、１つの放電セルに割り当てられた発光時間（１６μｓ）以内に入力できるパルス数は最小１回から最大１００回程度となる。よって、パルス数は１≦Ｎ≦１００の範囲が好ましい。
【００７１】
図７に行電極対に印加されたサスティンパルスによる１行当たりの放電時間（〜１６μｓ）に繰り返すＮ＝１０／ｌｉｎｅの発光パルスの例を示す。
【００７２】
パルス数Ｎを設定することにより、（εr’／ｄ’）の取り得る範囲は拡大し、Ｎ＝１０の場合には下記式となる。
【００７３】
【数６】
2007287548.tif 000008
【００７４】
以上のように、比誘電率εr’と誘電体厚ｄ’及び線順次駆動で必要とされるパルス数Ｎの関係は（４）によって示されているが、様々な応用を考慮すると、下記式のように一般化した表現を用いることができる。
【００７５】
【数７】
2007287548.tif 000009
【００７６】
式（１）の関係を図８に示す。図８において、パルス数Ｎの値は、（ｄ’、εr’）＝５０×ｄ’／εr’及びＮ（ｄ’、εr’）＝１０００×ｄ’／εr’で表される二つの曲面に挟まれた領域の値に許容範囲を設定することが可能である。
【００７７】
一方、誘電体層の絶縁耐圧Ｖｂは、許容しうる最大の電界で決まる。比較的耐圧の高いＳｉＯ2（εr＝３．８）で１０００Ｖ／μｍであり、許容電界が、誘電率εrの平方根の逆数に比例する相関が知られていることから（強誘電体薄膜集積化技術：ｓｃｉｅｎｃｅ  ｆｏｒｕｍ  ｐ．２２７）、近似的に下記式のように表すことができる。なお厚さｄ’の単位はμｍとする。
【００７８】
【数８】
2007287548.tif 000010
【００７９】
ＸＹ電極間に印加される電圧とほぼ同じ電圧が誘電体層に印加されると考えると、必要な膜厚ｄ’は下記式のように表すことができる。
【００８０】
【数９】
2007287548.tif 000011
【００８１】
本実施形態にて考えている０．１ｍｍ×０．３ｍｍ〜０．２ｍｍ×０．６ｍｍ程度の微細な放電セルに対しては、その放電電圧が１００Ｖ〜３００Ｖ程度、絶縁耐圧Ｖｂの値は、１００Ｖ〜３００Ｖであるため、膜厚ｄ’の取り得る範囲は下記式のように表すことができる。
【００８２】
【数１０】
2007287548.tif 000012
【００８３】
さらに、成膜条件によっては、絶縁耐圧が１／１０程度になることも考えられるので、より確実には、下記式のような範囲が好ましい。
【００８４】
【数１１】
2007287548.tif 000013
【００８５】
よって、式（１０）及び（１１）から、誘電体層の比誘電率εr’、誘電体層の膜厚ｄ’の関係を求めれば、図９のグラフが得られる。したがって、誘電体層の膜厚ｄ’は、下記式を満たすことが好ましい。
【００８６】
【数１２】
2007287548.tif 000014
【００８７】
図９で示された矢印の領域すなわち（１２）式の範囲の誘電体層の膜厚ｄ’の値を選べば、線順次駆動に対して、安定なセル発光動作を実現することが可能となる。
【００８８】
以上のように本実施形態は高密度高精細表示のプラズマディスプレイパネルを線順次駆動するために、標準方式と同等の輝度を得るための誘電体層の比誘電率と膜厚の最適な設計条件を得ることができる。行電極対（１行）あたりのサスティンパルス数Ｎを調整することでこの最適条件の範囲が拡大され、また、耐圧から要求される誘電体の膜厚の範囲があきらかとなり、本実施形態によれば誘電体層の比誘電率と膜厚に関する最適設計を行うことができる。
【図面の簡単な説明】
【００８９】
【図１】従来の面放電交流型プラズマディスプレイパネルを説明するために前面基板と背面基板に分解した分解斜視図である。
【図２】本発明による実施形態の面放電交流型プラズマディスプレイパネルの構成を模式的に表す斜視図である。
【図３】図２のＡ１−Ａ１線における断面図である。
【図４】本発明による実施形態の面放電交流型プラズマディスプレイパネルの表示装置の構成を示す模式図である。
【図５】本発明による実施形態の面放電交流型プラズマディスプレイパネルの駆動方法の実施例を示す印加される各種パルスのタイミング図である。
【図６】本発明による実施形態の面放電交流型プラズマディスプレイパネルを説明するための放電セルの拡大部分断面図である。
【図７】本発明による実施形態の面放電交流型プラズマディスプレイパネルにおける１行電極対当たりの放電時間に繰り返す発光パルスの例を示すグラフである。
【図８】本発明による実施形態の面放電交流型プラズマディスプレイパネルの１行電極対当たりの放電時間に繰り返すパルス数の値の許容範囲を示すグラフである。
【図９】本発明による実施形態の面放電交流型プラズマディスプレイパネルの誘電体層の膜厚ｄの値の許容範囲を示すグラフである。
【符号の説明】
【００９０】
１  前面基板
２  誘電体層
２Ａ  嵩上げ誘電体層
３  保護層
４  背面基板
５  列電極保護層
７  蛍光体層
１５Ａ  縦壁
１６  横隔壁
１２０  プラズマディスプレイパネル
２１０  行電極駆動回路
２１２  列電極駆動回路
Ｄ、Ｄ１〜Ｄｍ  列電極
Ｘ、Ｙ、Ｘ１、Ｙ１、Ｘ２、Ｙ２、〜Ｘｎ、Ｙｎ  行電極
Ｋｂ  共通バス電極部
Ｋａ  透明電極部
【図１】
2007287548.tif 000017
【図２】
2007287548.tif 000018
【図３】
2007287548.tif 000019
【図４】
2007287548.tif 000020
【図５】
2007287548.tif 000021
【図６】
2007287548.tif 000022
【図７】
2007287548.tif 000023
【図８】
2007287548.tif 000024
【図９】
2007287548.tif 000025